(57)【特許請求の範囲】
【請求項１】
外気を吸引する第１の吸引口と、第１の吸引口から吸引した空気を室内に送風する第１の送風口と、室内の空気を吸引する第２の吸引口と、第２の吸引口から吸引した空気を床下空間に送風する第２の送風口と、第２の吸引口から吸引される室内の空気と第１の吸引口から吸引される外気との熱交換を行う熱交換器とを備える熱交換型換気装置を建物の天井部空間に設置し、建物の外壁面に設けた空気取入口部を通って、前記第１の吸引口から外気を取り入れて室内天井裏に設けられた第１の送風口から建物の室内に送風するように配管し、建物内部の室内空気を吸引するように室内天井に前記第２の吸引口を設置し、前記第２の送風口と建物の床下に区画形成された床下空間とを連通するパイプを天井部空間から壁面に沿って床下空間まで配管し、前記床下空間の空気を還流する還流ファンと前記床下空間の空気を建物外に排気する排気ファンを備えた換気扇を前記床下に配置し、
前記熱交換器で熱交換された室内の空気を前記第２の送風口からパイプを通って床下空間へ送風することを特徴とする建物の換気システム。
【請求項２】
外気を吸引する第１の吸引口と、第１の吸引口から吸引した空気を室内に送風する第１の送風口と、室内の空気を吸引する第２の吸引口と、第２の吸引口から吸引した空気を小屋裏空間に送風する第２の送風口と、第２の吸引口から吸引される室内の空気と第１の吸引口から吸引される外気との熱交換を行う熱交換器とを備える熱交換型換気装置を建物の小屋裏空間に設置し、前記第１の吸引口から外気を取り入れて室内天井裏に設けられた第１の送風口から建物の室内に送風するように配管し、空調された建物内部の空気を吸引するように室内天井に前記第２の吸引口を設置し、前記第２の送風口にパイプの一端が接続され、パイプの他端部を小屋裏空間に開放し、前記小屋裏空間の空気を建物外に排気する換気扇を備え、
前記熱交換器で熱交換された室内の空気を前記第２の送風口からパイプを介して小屋裏空間に送風することを特徴とする建物の換気システム。
【発明の詳細な説明】
【０００１】
【発明の属する技術分野】
この発明は、建物の換気システムに関するものであり、更に詳しくは、床下空間や小屋裏空間の換気を図った建物の換気システムに関するものである。
【０００２】
【従来の技術】
従来、気密化・断熱化した住宅が提供されており、この気密化・断熱化によりすぐれた居住性が実現されている。しかし、この気密化により室内の風通しが悪くなるので、換気装置を取り付けて室内の換気を２４時間行うようにしている。
【０００３】
しかしながら、この換気装置では室内の換気は行われるが、床下や小屋裏は行われていない。このため、床下に湿気が一度たまると、気密化により長期間に亘って床下の湿度が高い状態を維持することになり、木材が腐りやすく、シロアリ、カビ、ダニ等が発生しやすくなる。また、夏季では暖気が小屋裏にたまり室内の冷房を行っても小屋裏の暑さにより冷房効果が下がるという問題があった。
【０００４】
そこで、特開平９−１５２１６２号公報に示されている床下換気装置が提案されている。この床下換気装置は、外気側に開放している通気口を設け、この通気口から外気を直接取り入れて床下の換気を行うものである。
【０００５】
【発明が解決しようとする課題】
このように、通気口から直接外気を床下に取り入れるものであるから、雨季等の外気の湿気が高い場合には、湿気の高い外気が床下内にはいるため、結果的に床下の湿度が高くなり、シロアリ、ダニ、カビ等の発生の防止に効果的でないと言う問題があった。
【０００６】
さらに、冷暖房を行う室内空間と通常これを行わない床下空間や小屋裏とでは、温度差が生じ、これにより結露が生じるという問題があった。
【０００７】
本発明は、このような問題に着目してなされたものであり、室内空間の換気において清浄な外気を十分に取り入れつつ、床下空間や小屋裏空間の換気を行って、床下空間や小屋裏空間における湿気の除去や塵の堆積防止を図ることを課題とする。
【０００８】
【課題を解決するための手段】
上記課題を解決するために、本願の請求項１の建物の換気システムは、外気を吸引する第１の吸引口と、第１の吸引口から吸引した空気を室内に送風する第１の送風口と、室内の空気を吸引する第２の吸引口と、第２の吸引口から吸引した空気を床下空間に送風する第２の送風口と、第２の吸引口から吸引される室内の空気と第１の吸引口から吸引される外気との熱交換を行う熱交換器とを備える熱交換型換気装置を建物の天井部空間に設置し、建物の外壁面に設けた空気取入口部を通って、前記第１の吸引口から外気を取り入れて室内天井裏に設けられた第１の送風口から建物の室内に送風するように配管し、建物内部の室内空気を吸引するように室内天井に前記第２の吸引口を設置し、前記第２の送風口と建物の床下に区画形成された床下空間とを連通するパイプを天井部空間から壁面に沿って床下空間まで配管し、前記床下空間の空気を還流する還流ファンと前記床下空間の空気を建物外に排気する排気ファンを備えた換気扇を前記床下に配置し、
前記熱交換器で熱交換された室内の空気を前記第２の送風口からパイプを通って床下空間へ送風することを特徴とする。
【０００９】
また、本願の請求項２の建物の換気システムは、外気を吸引する第１の吸引口と第１の吸引口から吸引した空気を室内に送風する第１の送風口と、室内の空気を吸引する第２の吸引口と、第２の吸引口から吸引した空気を小屋裏空間に送風する第２の送風口と、第２の吸引口から吸引される室内の空気と第１の吸引口から吸引される外気との熱交換を行う熱交換器とを備える熱交換型換気装置を建物の小屋裏空間に設置し、前記第１の吸引口から外気を取り入れて室内天井裏に設けられた第１の送風口から建物の室内に送風するように配管し、空調された建物内部の空気を吸引するように室内天井に前記第２の吸引口を設置し、前記第２の送風口にパイプの一端が接続され、パイプの他端部を小屋裏空間に開放し、前記小屋裏空間の空気を建物外に排気する換気扇を備え、
前記熱交換器で熱交換された室内の空気を前記第２の送風口からパイプを介して小屋裏空間に送風することを特徴とする。
【００１０】
【発明の実施の形態】
以下、本願の実施の形態にかかる建物の換気システムを図面に基づいて説明する。
【００１１】
図１は、本発明の実施の形態にかかる建物の概略構成を示したものであり、建物１の１階の室内２と２階の室内３との間の天井部空間４に換気装置５が設置されている。換気装置５は、建物１の外側にある空気を吸引する第１の吸引口部６と、室内の空気を吸引する第２の吸引口部７と、第１の吸引口部６から吸引した建物外側の空気を室内２（室内２には居間・和室・洋室等の居室、寝室、廊下が含まれる。）に送風する第１の送風口部８とを備えている。
【００１２】
換気装置５において、第１の吸引口部６と送風口部８との間には吸引用のシロッコファン９が設けられている。シロッコファン９の空気吸引側風路を構成するダクトが第１の吸引口部６とされており、シロッコファン９の空気排出側の風路を構成するダクトが第１の送風口部８とされている。
【００１３】
第１の吸引口部６のダクトには断熱材で覆われたパイプ１０の一端部が接続され、パイプ１０の他端部は建物１の壁部の開口部に設けられた空気取り入れ口部１１に接続されている。
【００１４】
送風口部８のダクトの端部には、断熱材で覆われたパイプ１２の一端部が接続されており、パイプ１２の他端部は、室内２の天井部の開口部に取り付けられた送風用グリル１３に接続されている。送風用グリル１３は送風用の開口部が形成された装飾用パネルで構成されている。
【００１５】
第２の吸引口部７は室内２の天井部に形成された開口部１４に臨んでいる。第２の吸引口部７の縁部には室内２の空気の吸い込み口が開口された装飾用パネル（図示省略）が取り付けられている。第２の吸引口部７の内側の送風路内にはシロッコファン１５が設けられている。
【００１６】
シロッコファン１５の排気通路側には、第２の送風口部１６が設けられており、第２の送風口部１６のダクトには断熱材で覆われたパイプ１７が接続されている。パイプ１７は１階と２階の天井部空間４から１階の壁面に沿って床下空間部１８に延びており、パイプ１７の床下空間部１８側の端部は、床下空間部１８に開放されている。このパイプ１７は建物１の外側に沿って設けられていても良い。床下部６０は、土台部１９と床下空間部１８からなっている。
【００１７】
床下空間部１８は、コンクリートによって底部及び周囲の縦壁部を区画し、天井部を建物１の床部で区画したものであり、建物１の布基礎を構成する。床下空間部１８と１階の室内２の床との間は、室内２の床を支える床柱や根太等が構築された土台部１９とされている。床下空間部１８の天井部には図示しない開口部が設けられ、当該開口部に蓋部が設けられており、内部に物を収納できるようになっている。土台部１９と床下空間部１８との境界部分に開口部が形成されている。土台部１９には換気扇２１が設けられ、この換気扇２１の吸引口は床下空間部１８の空気を吸い込むように形成されている。換気扇２１の排気口に排気口グリル２２が設けられている。
【００１８】
シロッコファン９、１５及び換気扇２１は、図示しない壁面スイッチ及び制御回路により給電されて同時に回転する。シロッコファン９の回転により第１の吸引口部６から外気を吸引して第１の送風口部８及び送風用グリル１３から１階の室内２に送風する。また、シロッコファン１５は第２の吸引口部７から室内２の空気を吸引し、パイプ１７を経由して床下空間部１８に送風し、床下空間部１８の空気は換気扇２１により吸引口２０及び排気口グリル２２を通って建物１の外側に排気される。
【００１９】
換気扇２１は、空気を建物外に排気する排気ファンと、床下空間部１８内部に還流する還流ファンとを備えており、床下空間部１８内部の空気を還流ファンにより還流させつつ、排気ファンによって排気を行う。これにより床下空間部１８に停滞した湿気も排気することができる。尚、換気扇２１のファンは環流ファンを用いずに排気ファンのみでもよい。
【００２０】
１階の換気システムでは、室内２に外気が導入された後に、床下空間部１８には室内２の空気が送風され、床下空間部１８の空気は換気扇２１から建物外に排気される。室内２の空気は、エアコンＡｃ等で除湿されることが多いので、床下空間部１８に乾燥した空気が送風され、床下空間部１８が除湿されると共に、塵等が堆積することが防止される。また、夏季にはエアコンＡｃ等の冷風が送風されるので、冷房効果が高まり、冬季にはエアコンＡｃ等の暖風が送風されるので、暖房効果が高まる。
【００２１】
また、建物１の２階の天井部には開口部が形成されており、この開口部には２階の室内３のための換気装置２３が取り付けられている。換気装置２３は本願の第２の換気装置であり、外気を取り入れる第１の吸引口部２４と、２階の室内の空気を取り入れる第２の吸引口部２５と、第１の吸引口部２４から取り入れた空気を２階の室内３に送風する第１の送風口部２６と、第２の吸引口部２５から吸い込んだ空気を小屋裏空間２７に送風する第２の送風口部２８とを有する。
【００２２】
第１の吸引口部２４と第１の送風口部２６とは連なっており、第１の吸引口部２４と第１の送風口部２６との間にシロッコファン２９が設けられている。
【００２３】
第１の吸引口部２４には断熱材で覆われたパイプ３０が接続され、パイプ３０は建物１の軒下部に設けられた吸引グリル３１に接続されている。第１の送風口部２６には断熱材で覆われたパイプ３２が接続されている。パイプ３２の他の端部は２階の室内３の天井部に設けた送風グリル３３に接続されている。
【００２４】
第２の吸引口部２５と第２の送風口部２８とは連なっており、第２の吸引口部２５と第２の送風口部２８との間にシロッコファン３４が設けられている。第２の送風口部２８にはパイプ３５の一端部が設けられ、パイプ３５の他端部は小屋裏空間２７に開放されている。
【００２５】
小屋裏空間２７の内側壁面には、換気扇３６が設けられており、換気扇３６はパイプ３７を介して排気用グリル３８に接続されている。換気扇３６は小屋裏空間２７の空気を排気用グリル３８から建物１の外側に排気する。
【００２６】
換気装置２３のシロッコファン２９、３４及び換気扇３６は、室内３に設けた壁面スイッチ及び制御回路により同時に回転する。シロッコファン２９は、吸引グリル３１から吸引した空気を第１送風口部２６を経由して送風グリル３３から２階の室内３に送風する。シロッコファン３４は２階の室内３の空気を吸い込んで小屋裏空間２７に排気し、換気扇３６は小屋裏空間２７の空気を排気用グリル３８から建物１の外側に排気する。
【００２７】
この実施の形態にかかる建物の換気システムによれば、室内の換気において清浄な外気を十分に取り入れることを行った後に、室内に取り入れた空気を床下空間１９や小屋裏空間２７の換気に用い、更に換気扇２１、３６が空気を吸引するので、空気の吸引機能が増大すると共に、床下空間や小屋裏空間における黴発生原因である湿気の除去や塵の堆積防止を図ることができる。また、夏季においては小屋裏空間の熱気を建物外に排気するので、室内の冷房効果が向上し、冬季であれば、暖房の空気が床下空間や小屋裏空間に送られるので、暖房効果が向上する。
【００２８】
更に、室内空気がそのまま床下空間部１８或いは小屋裏空間２７に流れることから、室内空間と床下空間部１８或いは小屋裏空間２７との間で温度差が生じないために結露の発生を防止できる。
【００２９】
図２、図３は、換気装置５、２３の構成を示す。この換気装置４０は、建物の室内天井に取り付けられるハウジングケース４１を備えている。このハウジングケース４１の下部には室内の空気を外に排出するための導入開口部４２が形成されており、この下部開口部４２には、室内天井とほぼ同じ面に位置するようにフロントパネル４３が取り付けられる。フロントパネル４３に周縁部には開口部４４が形成されており、開口部４４から取り入れられた室内の空気（以下、Ｒｅｔｕｒｎ  Ａｉｒ：ＲＡという）は導入開口部４２を経由して熱交換器４５に導入される。
【００３０】
熱交換器４５は、室内の空気の持っている熱を建物外側から取り入れる空気に伝達するものであり、排出する空気ＲＡを通過させる排気通路と、建物外側から取り入れる空気（以下、Ｏｕｔ  Ｓｉｄｅ  Ａｉｒ：ＯＡという）を通過させる吸気通路とを備えている。
【００３１】
排気通路及び吸気通路は、それぞれ細長い紙製の管材からなるものであり、排気通路の管材と吸気通路の管材とがそれぞれ交互に隣り合うように配置されることにより、排気される空気ＲＡの熱が吸引される空気ＯＡに伝達されるようになっている。なお、この実施の形態では管材は紙で構成されているが、熱伝導率の高い薄いプラスチック・金属等でも良い。
【００３２】
排気通路は、フロントパネル４３の開口部４４と、熱交換器４５の排気通路と、図３に示す風路４６・ファン格納室４７・排気ダクト４８で構成されている。
【００３３】
熱交換器４５の排気通路は、風路４６を介してファン格納室４７に通じており、ファン格納室４７は排気ダクト４８に接続されている。ファン格納室４７にはファン４９が配置されている。ファン４９は遠心タイプのものであり、風路４６から室内空気をファン４９の中央部に取り込んでファン４９の外側に排出する。図３の５０はファン４９を回転させるモータである。
【００３４】
室外からの空気ＯＡを吸引する吸気経路は、ダクト５１と、フィルター５２と、熱交換器４０の吸気通路と、風路５３と、ファン格納室５４と、給気ダクト５５とで構成されている。
【００３５】
熱交換器４５の吸気通路は、風路５３を介してファン格納室５４に通じている。ファン格納室５４内部には遠心タイプのファン５６が配置されている。ファン格納室５４の側部には、給気ダクト５５が設けられている。ファン５６はファン５６の中央部から室外の空気ＯＡを導入して給気ダクト５５から熱交換した空気（以下、Ｓｕｐｐｌｙ  Ａｉｒ：以下ＳＡという）を居室に供給する。給気ダクト５５は断熱ダクト等を通して建物の各所に設けられた居室等に通じている。また、熱交換器４５の吸気通路の入り口には、外気導入ダクト５１が設けられ、外気導入ダクト５１と熱交換器４５との間には、煤塵・粉塵・花粉等をろ過するフィルター５２が配置されている。フィルター５２は一例として蛇腹状に折り畳まれた不織布等で構成されている。なお、フィルター５２に抗菌・脱臭・防かび・光触媒等の機能を持たせても良い。
【００３６】
ファン４９とファン５６は、それぞれを独立に回転制御可能なモータ５０、５７に取り付けられており、それぞれのモータ５０、５７は制御回路５８の制御により回転駆動されるようになっている。なお、ファン４９、５６は一つのモーターで回転させても良い。
【００３７】
なお、例えば、室内の空気を床下空間部に吸引し、床下空間から天井部の換気装置にダクトを設け、換気装置の排気口から再び１階及び２階の室内に送風する場合には、吸引のための管路長が長くなってコストが高くなると共に、吸引抵抗が大きくなるが、上記実施の形態の寒気システムによれば、床下から換気装置に戻す排気ダクトが不要になり、コストが安くなり、且つ吸引抵抗が少なくなる。また、床下空間部１８或いは小屋裏空間部２７から直接建物外に排気するので、床下空間１８や小屋裏空間２７の埃や湿気・臭気が室内２、３に逆流することがない。
【００３８】
また、換気装置５、２３に熱交換型寒気システムを利用することにより、室内へは熱交換器で排気熱を回収した空気が室内に供給されて快適な吸気が行え、冷暖房効率が良くなる。さらに、床下空間１８又は小屋裏空間２７には熱交換された排気空気が供給されるが、床下空間１８や小屋裏空間２７に供給される排気空気には完全に熱交換されていない熱が含まれるために、この空気が持つ熱によって、外気と比べて比較的温度・湿度共に安定した空気が供給されることとなる。
【００３９】
これにより、床下空間部１８或いは小屋裏空間２７内のカビの発生や温度差による結露の発生を低減できる。
【００４０】
【発明の効果】
本願の請求項１、２にかかる建物の換気システムによれば、室内空間の換気において清浄な外気を十分に取り入れることを行いながら、更に、床下空間や小屋裏空間の換気を行って、床下空間や小屋裏空間における黴発生原因である湿気の除去や塵の堆積防止を図ることができると共に、換気扇に作用する空気の吸引抵抗が増大することがない。更に、室内空間と小屋裏空間の温度差が少なくなるため、温度差に生じる結露の発生を低減および防止できる。
【図面の簡単な説明】
【図１】図１は本発明の実施の形態にかかる建物の換気システムの説明図である。
【図２】図２は図１の換気システムに用いられる換気装置の分解斜視図である。
【図３】図３は図１の換気システムに用いられる換気装置の構造を示す模式図である。
【符号の説明】
１  建物
２  １階の室内
３  ２階の室内
５  第１の換気装置
６  第１の吸引口部（第１の吸引口）
７  第２の吸引口部（第２の吸引口）
８  第１の送風口部（第１の送風口）
９  シロッコファン
１６  第２の送風口部（第２の送風口）
１７  パイプ
１８  床下空間部
２１  換気扇
【図１】
0003975745.tif 000002
【図２】
0003975745.tif 000003
【図３】
0003975745.tif 000004